(57)【要約】
【課題】　　　箸置き効能を有する使い捨て箸の外包装を提供する。
【解決手段】　一端に箸を挿入するための開口１１を有する長方形の袋体である使い捨て箸の外包装であって、該袋体の開口よりの周方向に形成した切り取り線３４により、袋体を固定部４０と支持部４２とに分離させ、該支持部４２を折り曲げた後、固定部４０の筒内部に嵌装することで、箸置きとして利用できるようにした。
【選択図】　　図１
0003099465.tif 000002
【実用新案登録請求の範囲】
【請求項１】
　一端に箸を挿入するための開口１１を有する長方形の袋体である使い捨て箸の外包装であって、
　該袋体の周方向に形成した切り取り線３４によって、該袋体を筒状の固定部４０と支持部４２とに分離させ、該支持部４２を折り曲げた後、固定部４０の筒状内部に嵌装するようにしたことを特徴とする使い捨て箸の外包装。
【請求項２】
　前記袋体は矩形のシートから折り出し、そのシートに夫々矩形の長辺と平行する第一折り線１０、第二折り線１２、第三折り線１４及び第四折り線１６が設けられ、該シートは第一折り線１０と第三折り線１４によって夫々接着面２０、底面部２２と頂面部２４に分け、第一折り線１０と第三折り線１４の間における底面部２２の一端に外側へ延出する接着シート２６が設けられると共に、該接着シート２６に対する接着面２０の一端に接着シート２６の長さと等しい切欠部２８が形成され、又、シートに夫々矩形の短辺と平行する第五折り線３０、第六折り線３２及び切り取り線３４が設けられ、この切り取り線３４によって該シートを接着シート２６を含む支持部４２と固定部４０とに分離可能とすると共に、第五折り線３０と第六折り線３２によって支持部４２を三等分に折り曲げ可能としたことを特徴とする請求項１に記載の使い捨て箸の外包装。
【請求項３】
　シートの一側における第一折り線１０、第二折り線１２、第三折り線１４及び第四折り線１６にスリットが形成され、又、固定部４０の長辺方向の長さは支持部４２の三分の一より大きいことを特徴とする請求項２に記載の使い捨て箸の外包装。
【考案の詳細な説明】
【技術分野】
【０００１】
　本考案は、特に箸置き効能を有する使い捨て箸の外包装に関するものである。
【背景技術】
【０００２】
　近年、飲食において使用される箸にあっては、衛生管理が注目されるなかで、使い捨て箸がよく使用されている。特に、レストラン及び屋台などの飲食店においては、繰返し使用可能な箸の替わりに使い捨て箸を使用することにより、飲食における衛生を維持するようにしている。
【０００３】
　従来の使い捨て箸は、一双の木製又は竹製の箸からなり、該箸の衛生を維持するために、プラスチック材質又は紙材質の箸袋又は包装体によって箸を外包装するようにしている。そして、箸の使用にあたっては、該箸を箸袋又は外包装から取り出して使用するようにしている。
【考案の開示】
【考案が解決しようとする課題】
【０００４】
　しかしながら、前記箸袋又は外包装は箸を取り出した後では、使用済みとなって放棄され、環境衛生に悪影響を与えるゴミになる。更に、飲食中における箸は、高級なレストランにあっては、箸の不使用時に箸先がテーブル表面に接触して不潔にならないように、箸置きを備えて衛生面を確保するようにしているが、一般のレストランや屋台では、この箸置きを備えることはまれであり、使用中の箸をテーブルの表面において休む場合には、箸をテーブルの表面に直に置くことになり、衛生上好ましくない。
【０００５】
　そこで、案出されたのが本考案であって、箸置き効能を有する使い捨て箸の外包装を提供することを目的としている。
【課題を解決するための手段】
【０００６】
　本願の請求項１の考案は、一端に箸を挿入するための開口１１を有する長方形の袋体である使い捨て箸の外包装であって、
　該袋体の周方向に形成した切り取り線３４により、袋体を筒状の固定部４０と支持部４２とに分離させ、該支持部４２を折り曲げた後、固定部４０の筒内部に嵌装するようにしたことを特徴とする。
【０００７】
　本願の請求項２の考案は、請求項第１記載の使い捨て箸の外包装において、前記袋体は矩形のシートから折り出し、そのシートに夫々矩形の長辺と平行する第一折り線１０、第二折り線１２、第三折り線１４及び第四折り線１６が設けられ、該シートは第一折り線１０と第三折り線１４によって夫々接着面２０、底面部２２と頂面部２４に分け、第一折り線１０と第三折り線１４の間における底面部２２の一端に外側へ延出する接着シート２６が設けられると共に、該接着シート２６に対する接着面２０の一端に接着シート２６の長さと等しい切欠部２８が形成され、又、シートに夫々矩形の短辺と平行する第五折り線３０、第六折り線３２及び切り取り線３４が設けられ、この切り取り線３４によって該シートを接着シート２６を含む支持部４２と固定部４０とに分離可能とすると共に、第五折り線３０と第六折り線３２によって支持部４２を三等分に折り曲げ可能としたことを特徴とする。
【０００８】
　本願の請求項３の考案は、請求項２に記載の使い捨て箸の外包装において、シートの一側における第一折り線１０、第二折り線１２、第三折り線１４及び第四折り線１６にスリットが形成され、又、固定部４０の長辺方向の長さは支持部４２の三分の一より大きいことを特徴とする。
【考案の効果】
【０００９】
　本考案の使い捨て箸の外包装によれば、外包装を固定部と支持部に分離し、支持部を固定部の内部に嵌装することにより、使い捨て箸の外包装を箸置きとして使用することができるので、飲食時における衛生を確実に維持することができる
【考案を実施するための最良の形態】
【００１０】
　以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
　図１は本考案に係る使い捨て箸の外包装の全体斜視図であり、図２は本考案に係る使い捨て箸の外包装の折り込み前の状態を示す斜視図であり、図３は本考案に係る使い捨て箸の外包装の折り込み状態を示す斜視図であり、図４は本考案に係る使い捨て箸の外包装における固定部と支持部を分離する状態を示す斜視図であり、図５は本考案に係る使い捨て箸の外包装における支持部を第一折り線と第四折り線に沿って折る状態を示す斜視図であり、図６は本考案に係る使い捨て箸の外包装における支持部を第五折り線と第六折り線に沿って折った状態を示す斜視図であり、図７は本考案に係る使い捨て箸の外包装における折った支持部を固定部の内部に嵌装する前の状態を示す斜視図であり、図８は本考案に係る使い捨て箸の外包装の使用状態を示す斜視図である。
【００１２】
　図１及び図２に示すように、本考案に係る使い捨て箸の外包装は一端に箸を挿入するための開口１１を有する長方形の袋体であり、該袋体は矩形のシートから折り出し、そのシートに夫々矩形の長辺と平行する第一折り線１０、第二折り線１２、第三折り線１４及び第四折り線１６が設けられることにより、該シートの短辺方向に五等分にする。又、このシートを便利に折るために、シートの一側における第一折り線１０、第二折り線１２、第三折り線１４及び第四折り線１６にスリット（符号なし）が形成される。該シートは第一折り線１０と第三折り線１４によって夫々接着面２０、底面部２２と頂面部２４に分け、第一折り線１０と第三折り線１４の間における底面部２２の一端に外側へ延出する接着シート２６が設けられると共に、該接着シート２６に対する接着面２０の一端に接着シート２６の長さと等しい切欠部２８が形成される。
【００１３】
　前記シートに夫々矩形の短辺と平行する第五折り線３０、第六折り線３２及びミシン目小孔などにより形成された周方向に向けた切り取り線３４が設けられ、この切取り線３４によって該シートを接着シート２６を含む支持部４２と固定部４０とに分離すると共に、第五折り線３０と第六折り線３２によって折り重ねることで支持部４２を三等分とする。又、固定部４０の長辺方向の長さは支持部４２の三分の一より大きい。
【００１４】
　図１乃至図３に示すように、本考案に係る使い捨て箸の外包装を組立てる場合、第一折り線１０と第二折り線１４によってシートを折ると共に、接着シート２６と接着面２０を底面部２２に折って頂面部２４と接着することにより、箸５０が内部に挿入できる外包装とする。又、接着面２０の一端に切欠部２８を有するので、接着後の底面部２２と頂面部２４は所定の距離を開けて、箸５０を外包装の内部に挿入することができる。
【００１５】
　又、図４に示すように、箸を外包装から取り出した後、その外包装を切り取り線３４に沿って支持部４２と固定部４０に分割する。図２，図５，及び図６に示すように、支持部４２を先ず第一折り線１０と第四折り線１６に沿って折り、更に、図６に示すように、該支持部４２を第五折り線３０と第六折り線３２に沿って折ることにより、支持部４２を折り曲げる。
【００１６】
　図７及び図８に示すように、前記固定部４０は、第一折り線１０、第二折線１２、第三折り線１４及び第四折り線１６に沿って形成された角部を有する中空方形の筒状パイプになる。更に、前記方形筒状パイプの固定部４０内部に、先に折り重ねた支持部４２を嵌装することにより、前記固定部４０を箸置きが可能な強度を持たせることができる。したがって、他の箸置きが備わっていない場合においても、箸を取り出した後の外包装を簡単な操作で箸置きとすることができる。
【産業上の利用可能性】
【００１７】
　本考案は上記の構成を有するので、外包装を固定部と支持部に分離し、支持部を固定部の内部に嵌装することにより、使い捨て箸の外包装を箸置きとして使用することができるので、特に外食産業において飲食の衛生を確実に維持することができる。
【図面の簡単な説明】
【００１８】
【図１】本考案に係る使い捨て箸の外包装の全体斜視図である。
【図２】本考案に係る使い捨て箸の外包装の展開状態を示す斜視図である。
【図３】本考案に係る使い捨て箸の外包装の折り込み状態を示す斜視図である。
【図４】本考案に係る使い捨て箸の外包装における固定部と支持部を分離した状態を示す斜視図である。
【図５】本考案に係る使い捨て箸の外包装における支持部を第一折り線と第四折り線に沿って折る込んだ状態を示す斜視図である。
【図６】本考案に係る使い捨て箸の外包装における支持部を第五折り線と第六折り線に沿って折り曲げた状態を示す斜視図である。
【図７】本考案に係る使い捨て箸の外包装における折り曲げた支持部を固定部の内部に嵌装する前の状態を示す斜視図である。
【図８】本考案に係る使い捨て箸の外包装の使用状態を示す斜視図である。
【符号の説明】
【００１９】
　１０　　　　第一折り線
　１１　　　　開口
　１２　　　　第二折り線
　１４　　　　第三折り線
　１６　　　　第四折り線
　２０　　　　接着面
　２２　　　　底面部
　２４　　　　頂面部
　２６　　　　接着シート
　２８　　　　切欠部
　３０　　　　第五折り線
　３２　　　　第六折り線
　３４　　　　切り取り線
　４０　　　　固定部
　４２　　　　支持部
　５０　　　　箸
【図１】
0003099465.tif 000003
【図２】
0003099465.tif 000004
【図３】
0003099465.tif 000005
【図４】
0003099465.tif 000006
【図５】
0003099465.tif 000007
【図６】
0003099465.tif 000008
【図７】
0003099465.tif 000009
【図８】
0003099465.tif 000010